(57)【要約】      （修正有）【課題】必要にして十分な被収納物を昇降させることにより、簡潔かつ容易に日常生活における使用者の負担を低減可能な収納庫を提供する。【解決手段】代表的な構成は、被収納物を収納する引出１３４をスライド自在に収容可能な収納庫であって、引出１３４内に配置され、被収納物を載置可能な載置部材１５０と、収納庫に収納された引出１３４が収納庫から引き出されることによって載置部材１５０を上昇させ、また、引出１３４が収納庫へ押し込まれることによって載置部材１５０を下降させる昇降機構１７０と、載置部材１５０が上昇して生じる載置部材１５０の下方の空間１６１から、引出の内部であって載置部材１５０の外に収納された被収納物を遮蔽する遮蔽部材１６０ａと、を備える。【選択図】図８
2010183984.tif 000002
【特許請求の範囲】
【請求項１】
被収納物を収納する引出をスライド自在に収容可能な収納庫であって、
前記引出内に配置され、被収納物を載置可能な載置部材と、
当該収納庫に収容された前記引出が当該収納庫から引き出されることによって前記載置部材を上昇させ、また、該引出が当該収納庫へ押し込まれることによって該載置部材を下降させる昇降機構と、
前記載置部材が上昇して生じる該載置部材の下方の空間から、前記引出の内部であって前記載置部材の外に収納された前記被収納物を遮蔽する遮蔽部材と、
を備えることを特徴とする収納庫。
【請求項２】
前記遮蔽部材は、所定の部分毎に着脱可能に固定されることを特徴とする請求項１に記載の収納庫。
【請求項３】
前記遮蔽部材は、前記載置部材の背後に固定された仕切板または柵状物であることを特徴とする請求項１に記載の収納庫。
【請求項４】
前記遮蔽部材は、前記載置部材の側面側に固定された仕切板または柵状物であることを特徴とする請求項１に記載の収納庫。
【発明の詳細な説明】
【技術分野】
【０００１】
本発明は、システムキッチンに備えられた、被収納物を収納する引出を有する収納庫に関するものである。
【背景技術】
【０００２】
キッチンには、調理器具や調味料、食器などを収納しておくために、多くの収納スペースが設けられている。このため天板（システムキッチンにおいてはワークトップ）の下には、引出や開き戸が設けられるのが通常である。近年はキッチンの使用態様の研究がすすみ、引出などに収納される被収納物をある程度想定し、引出の大きさや仕切りの形状を工夫することにより、使い勝手の向上を図ることが行われている。そのような例として、コンロを有するコンロキャビネットには鍋などを入れる大きな引出や開き戸を設けたり、調理スペースを有するベースキャビネットには食器や調理器具を入れる浅い引出を多く設けたりしている。
【０００３】
ところで、天板の下に収納スペースを設けることから、必然的に引出などは低い位置に配置される。故に、利用者は腰をかがめるか、しゃがみ込むことによって被収納物を出し入れすることになる。このことは、長時間キッチンで立ち仕事をする場合や、高齢により体に自由がきかなくなってきた場合など、使用者によっては負担に感じる場合も想定される。
【０００４】
そこで従来より、低い位置の引出に対して、被収納物の出し入れを容易とするための工夫が検討されている。特許文献１には、引出の昇降機構を備えたキャビネットの構成が開示されている。なお特許文献１では、引出を完全に引き出した状態でのみ昇降させることにより、引出とキャビネット本体とが衝突するのを防止している。
【先行技術文献】
【特許文献】
【０００５】
【特許文献１】特開２００７−２１５６７８号公報
【発明の概要】
【発明が解決しようとする課題】
【０００６】
しかし、特許文献１の構成において、引出を上昇させるには引出の全体を回転させながら持ち上げなければならない。引出は、木製や金属製の前板や、底板、側板などから構成されているので、何も収容していなくてもかなりの重量を有している。まして、引出の中に様々な被収納物を収納するとすれば、これを回転させるために必要な労力は、逐一屈むよりも多大なものとなってしまいかねない。ここで、エアシリンダーや電動モータなどによって持ち上げる力を補助することも考えられるが、機構が複雑となり、キッチンの生産コストの高騰を招いたり、機構が収容スペースを圧迫して本末転倒となるおそれがある。
【０００７】
また、特許文献１に開示された構成においては、キャビネットとの衝突をおそれるあまり、引出を完全に引き出してからでないと上昇させることができない。すると、キッチンで作業している使用者は１歩下がって引出を大きく引き出さなければならないことになり、たび重なれば煩わしく感じられるおそれがある。
【０００８】
さらには、引き出す操作と上昇させる操作が別のアクションとなっていると、必然的に収容する場合にも２つのアクションが必要になる。そのため、使用者はその操作自体が面倒になり、せっかくの機能が利用されなくなってしまうおそれもある。
【０００９】
一方、引出に収納された被収納物のうち、調理作業中に頻繁に使用する物（以下、繁用物と称する）は限られてくる。すなわち、必ずしも引出のすべてを高い位置に持ち上げる必要はない。
【００１０】
本発明は、上記課題に鑑みてなされたものであり、引出全体を上昇させることなく、必要にして十分な繁用物だけを昇降させることにより、簡潔かつ容易に日常生活における使用者の負担を低減可能であり、昇降動作に支障を生じることもない収納庫を提供することを目的としている。
【課題を解決するための手段】
【００１１】
発明者らは、引出内に繁用物を載置する載置部材を設け、この載置部材だけを昇降させれば、簡潔かつ容易に使い勝手の向上を図れるのではないかと思量した。しかし、引出内で載置部材を昇降させるとなると、引出内の被収納物のうち、載置部材の外に存在する（引出自体に収容されている）、昇降しない被収納物が、この昇降運動に巻き込まれてしまうおそれがある。そのような事態が生じれば、被収納物の破損ばかりか、引出自体が開かなくなってしまったり、壊れてしまったりする可能性もある。そこで、被収納物を巻き込むおそれのない昇降機構をさらに検討し、本発明を完成するに至った。
【００１２】
上記課題を解決するために、本発明にかかる収納庫の代表的な構成は、被収納物を収納する引出をスライド自在に収容可能な収納庫であって、引出内に配置され、被収納物を載置可能な載置部材と、収納庫に収納された引出が収納庫から引き出されることによって載置部材を上昇させ、また、引出が収納庫へ押し込まれることによって載置部材を下降させる昇降機構と、載置部材が上昇して生じる載置部材の下方の空間から、引出の内部であって載置部材の外に収納された被収納物を遮蔽する遮蔽部材と、を備えることを特徴とする。
【００１３】
かかる構成によれば、載置部材の外に存在する、引出内の昇降しない被収納物を、載置部材が上昇して生じる載置部材の下方の空間に巻き込むことなく、必要にして十分な繁用物を載置した載置部材を昇降させることができる。故に、引出全体を昇降させることなく、簡潔かつ容易に日常生活における使用者の負担を低減できるし、昇降動作に支障を生じることもない。
【００１４】
上記の遮蔽部材は、所定の部分毎に着脱可能に固定されるとよい。これにより、被収納物や載置部材に応じて遮蔽部材を配置することができ、効率的なスペース活用が行なえる。
【００１５】
上記の遮蔽部材は、載置部材の背後に固定された仕切板または柵状物であってよい。これにより、載置部材の外に存在する、引出内の昇降しない被収納物を、載置部材の下方の空間から好適に遮蔽できる。
【００１６】
上記の遮蔽部材は、載置部材の側面側に固定された仕切板または柵状物であってもよい。これにより、載置部材の下方の空間への巻き込みを防止するだけでなく、側面側に固定された仕切板等と昇降機構の枠体との間にも収納スペースを設けることができ、効率的なスペース活用が行なえる。
【００１７】
上記の載置部材は、天面が開放された箱状のポケットであり、着脱可能に配置されるとよい。これにより、繁用物を箱状のポケットに立てた状態で収納でき視認性の向上を図ることができる。さらに、被収納物に応じて、載置部材の個数や形状(深さ)を使い分けることができるので、効率的なスペース活用、使い勝手の向上を図ることができる。
【発明の効果】
【００１８】
本発明によれば、引出全体を上昇させることなく、必要にして十分な繁用物を昇降させることにより、簡潔かつ容易に日常生活における使用者の負担を低減可能であり、昇降動作に支障を生じることもない収納庫を提供することができる。
【図面の簡単な説明】
【００１９】
【図１】本実施形態にかかる収納庫を備えるキッチンを示す図である。
【図２】ベースキャビネットの分解斜視図である。
【図３】載置部材と支持部材とを引出に取り付けた状態を示す図である。
【図４】図３においてさらに遮蔽部材を取り付けた状態を示す図である。
【図５】載置部材を説明する図である。
【図６】遮蔽部材の配置例を示した図である。
【図７】アーム、プーリおよびレールを説明する図である。
【図８】引出を引き出す際の載置部材の昇降機構を説明する図である。
【発明を実施するための形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また、本発明に直接関係のない要素は図示を省略する。
【００２１】
図１は本実施形態にかかる収納庫を備えるキッチンを示す図である。キッチン１００は一枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。
【００２２】
天板１１０には、組込式に取り付けられたコンロ１１２、調理スペース１１４、天板１１０に一体形成されたシンク１１６が設けられる。シンク１１６とコンロ１１２の間に位置する調理スペース１１４は平坦なテーブル面であり、主に調理を行うのに利用される。
【００２３】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００２４】
各収納庫は、被収納物を収納するために、様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部、すなわちグリル１１２ａの下には幅の広い大きな引出１２４が配設され、鍋やボウルなどの比較的大きな調理器具を収納することが可能になっている。また、コンロキャビネット１２０の下部の床近傍には、引出式の足元収納であるフロアコンテナ１２６が配設されている。
【００２５】
同様に、ベースキャビネット１３０には複数の比較的小さな引出１３２、１３４およびフロアコンテナ１３６が備え付けられている。シンクキャビネット１４０にはフロアコンテナ１４６から天板１１０に到る高い前板を備えた引出１４４が備え付けられている。
【００２６】
次に、本実施形態の特徴である収納庫について説明する。上記したコンロキャビネット１２０、ベースキャビネット１３０、シンクキャビネット１４０のうち、ベースキャビネット１３０を例にとって説明する。
【００２７】
図２は、ベースキャビネット１３０の分解斜視図、図３は、載置部材１５０と支持部材１８０とを引出１３４に取り付けた状態を示す図、図４は、図３においてさらに遮蔽部材１６０aを取り付けた状態を示す図である。上述したように、ベースキャビネット１３０には上段の引出１３２、中段の引出１３４、下段のフロアコンテナ１３６がスライド自在に収容される。
【００２８】
そして、中段の引出１３４は、前板１３４ａ、側板１３４ｂ、背面板１３４ｃ、底板１３４ｄ、および前板１３４ａの後面に固定設置される柱部材１３４ｅより構成され、載置部材１５０、遮蔽部材１６０a、支持部材１８０を備えている。載置部材１５０は、支持部材１８０とレール１９０とから構成される昇降機構１７０（後程説明する）によって上下移動可能となっている。なお、引出１３２、１３４、１３６そのものを出し入れするためのレール機構は一般的なものでよいため、図示を省略している。
【００２９】
図５は、載置部材１５０を説明する図である。載置部材１５０は、天面が開放された箱状であって、いわゆるポケット形状を成している。故に、この載置部材１５０の内部に、例えば、杓子類、ラップ、菜箸、調味料といった繁用物を立てた状態で収納できる。繁用物を立てた状態で収納することで、視認性の向上、延いては使い勝手の向上を図ることができる。
【００３０】
載置部材１５０の上縁の一辺には、鈎状のＬ字部１５２が形成されている。図４に示すように、Ｌ字部１５２を上梁１８２ａに吊下することによって、載置部材１５０が支持部材１８０に対して着脱可能に構成されている。これにより、載置部材１５０が交換可能となるため、形状や容積、取り付ける個数などを選択することができる。また、載置部材１５０を取り外せることから、清掃も容易となる。
【００３１】
また、載置部材１５０は、前板１３４ａに隣接して設けられる。これにより、昇降機構１７０にて、引出１３４を若干引き出すだけで載置部材１５０を昇降させることができ、繁用物を出し入れできる。
【００３２】
遮蔽部材１６０ａは、本実施形態では仕切り板であるが、被収納物を通さない程度に目の細かい柵状物としてもよく、引出１３４に所定の部分毎に着脱可能に固定される。遮蔽部材１６０ａの具体的な固定方法のとしては、例えば、前板１３４ａ、側板１３４ｂ、底板１３４ｄなどの対応する配置箇所にスリットを設け、嵌合させて固定してもよい。また、遮蔽部材１６０ａとその配置箇所に雄部と雌部を形成し、嵌合させて固定してもよい。
【００３３】
遮蔽部材１６０ａを設けることで、載置部材１５０の外に存在する、引出１３４内の昇降しない被収納物が、載置部材１５０が上昇して生じる載置部材１５０の下方の空間１６１（図４）に巻き込まれることを防止できる。故に、昇降運動により、被収納物が破損してしまったり、収納庫が開かなくなったり、壊れてしまうおそれを排除できる。
【００３４】
図６は、複数の遮蔽部材の配置例を示した図である。載置部材１５０の背後に配置されるのは既に説明した遮蔽部材１６０ａである。以下、載置部材１５０の側面側に配置される遮蔽部材１６０ｂと、梁１８２の前に配置される遮蔽部材１６０ｃとについて説明する。
【００３５】
図６（ａ）では、載置部材１５０の背後に、底板１３４ｄを横断する略平板状の遮蔽部材１６０ａが配置されている。そのため、遮蔽部材１６０ａの背後に形成される収納スペース１６２（図６においてハッチで示す）に好適に被収納物を収納することができる。
【００３６】
図６（ｂ）では、図６（ａ）の構成に加えて、２つの遮蔽部材１６０ｂが梁１８２に干渉しないように配置されている。これにより、前板１３４ａと、遮蔽部材１６０ｂと、梁１８２とで囲われた前部収納スペース１６４（図６においてクロスハッチで示す）に被収納物を収納することができる。ボトル等の重量があるものは、載置部材１５０にて昇降するのに適しているとはいい難く、この前部収納スペース１６４に収納されると好ましい。なお、包丁等の刃物も、載置部材１５０にて昇降するのに適しているとはいい難いので、前板１３４ａの内側に包丁差し（図示せず）を備え付けると好ましい。
【００３７】
図６（ｃ）では、図６（ｂ）の構成に加えて、さらに遮蔽部材１６０ｃが配置されている。これにより、被収納物と梁１８２との接触を防止し、より好適に前部収納スペース１６４に被収納物を収納できる。なお、当然ながら、遮蔽部材１６０ｂ、１６０ｃは一体（コの字状）に形成されてもよい。
【００３８】
図６（ｄ）では、図６（ａ）〜（ｃ）と載置部材１５０の配置箇所および数が異なり、それに応じて、収納スペースを好適に確保するように遮蔽部材１６０が配置されている。具体的には、底板１３４ｄを横断する略平板状の遮蔽部材１６０ａと、載置部材１５０の側面の両側に設けられた２つの遮蔽部材１６０ｂと、一端で遮蔽部材１６０ｂに当接し他端で側板１３４ｂに当接する遮蔽部材１６０ｃとが配置されている。これにより、収納スペース１６２および前部収納スペース１６４を好適に確保できる。
【００３９】
上記したように、本実施形態において、載置部材１５０と遮蔽部材１６０（１６０ａ、１６０ｂ、１６０ｃ）は、着脱可能にそれぞれ配置されている。そのため、被収納物（特に、載置部材１５０に関しては繁用物）に応じて、収納庫内の構成を適宜調節することができ、効率的なスペース活用、使い勝手の向上が図られる。なお、遮蔽部材１６０は、単にレイアウトを行なうための間仕切りとしても使用できる。
【００４０】
支持部材１８０は、摺動部材１８４と、梁１８２(上梁１８２ａ、下梁１８２ｂ)と、摺動部材１８４から奥側に向かって連結されたアーム１８６と、アーム１８６の奥側に設けられた複数のプーリ１８８（上プーリ１８８ａ、下プーリ１８８ｂ）とから構成される。
【００４１】
摺動部材１８４は引出１３４の両側に配置され、これらを２つの梁１８２で接続することによって、載置部材１５０を収容する枠体を形成している。下梁１８２ｂは、枠体の剛性を高めると共に、載置部材１５０の後面を支持して、回転してしまうことを防止している。
【００４２】
摺動部材１８４は、引出１３４に固定設置される柱部材１３４ｅに沿って上下方向に摺動可能に構成されている。これにより支持部材１８０および載置部材１５０が、柱部材１３４ｅに対して上下方向に摺動可能である。なお、特に図示しないが、載置部材１５０を容易に昇降させるためのアシスト機構を設けてもよい。アシスト機構の具体的な例としては、柱部材１３４ｅと摺動部材１６４を弾性部材（例えばバネ）で係合させることが挙げられる。
【００４３】
図７はアーム１８６、プーリ１８８およびレール１９０を説明する図である。図７（ａ）に示すように、アーム１８６は摺動部材１８４から奥側に向かって延長するように接続されている。本実施形態においてアーム１８６は樹脂部１８６ａと金属部１８６ｂとからなり、樹脂部１８６ａの奥側先端に下プーリ１８８ｂと金属部１８６ｂを固定している。金属部１８６ｂの奥側先端は上方にＬ字状に屈曲していて、上プーリ１８８ａを高い位置に設置している。なお、樹脂部１８６ａと金属部１８６ｂを一体の樹脂または金属で形成してもよい。
【００４４】
図７（ｂ）に示すレール１９０は、ベースキャビネット１３０内の壁板に配置されていて、プーリ１８８ａ、１８８ｂを案内する。レール１９０は、その中央部に前側に向かって上昇する傾斜部１９０ｂを有している。傾斜部１９０ｂより前側には、略水平にプーリ１８８ａ、１８８ｂを案内する前側水平部１９０ｃを有している。傾斜部１９０ｂより奥側には、略水平にプーリを案内する奥側水平部１９０ａを有している。
【００４５】
本実施形態において奥側水平部１９０ａ、傾斜部１９０ｂ、前側水平部１９０ｃは概ね直線であり、その交点はアールが付けられている。アールの曲率半径は、プーリ１８８ａ、１８８ｂの半径よりも大きい（曲がりが緩やかである）ことが好ましい。ただし、さらに傾斜部１９０ｂをＳ字を描くような滑らかな曲線としたり、奥側水平部１９０ａや前側水平部１９０ｃも傾斜、屈曲、ないしは湾曲させたりすることを除外するものではない。
【００４６】
複数のプーリ１８８ａ、１８８ｂは、アーム１８６が略水平の姿勢となるように、レール１９０を挟むように配置されている。詳しくは、上プーリ１８８ａはレール１９０の上側かつ奥側よりに配置され、下プーリ１８８ｂはレール１９０の下側且つ前側よりに配置されている。上プーリ１８８ａと下プーリ１８８ｂの水平方向の間隔Ｄ１は、レール１９０の傾斜部の水平方向の幅Ｗ１とほぼ等しい。また、上プーリ１８８ａと下プーリ１８８ｂの高さ方向の間隔Ｄ２は、レール１９０の奥側水平部１９０ａまたは前側水平部１９０ｃの高さ方向の幅Ｗ２とほぼ等しい。
【００４７】
このようにプーリ１８８ａ、１８８ｂとレール１９０の配置と形状を構成したことにより、２つのプーリ１８８を同時に上下に案内することができると共に、アーム１８６の水平を保ったまま昇降させることができる。なおアーム１８６の水平を保つためには、プーリ１８８ａ、１８８ｂの水平方向の間隔Ｄ１を広く取ることが好ましく、これに応じてレール１９０の傾斜部１９０ｂの水平方向の幅Ｗ１も広くなる。この場合において、図７などに示すように、傾斜部１９０ｂは中抜きした平行レールとすることができる。これによりレール１９０の重量および材料コストを低減することができる。
【００４８】
図８は、引出１３４を引き出す際の載置部材１５０の昇降機構１７０を説明する図である。以下、ベースキャビネット１３０を例として、引出１３４を出し入れした場合の載置部材１５０の昇降機構１７０について説明する。なお、図８においては、理解を容易にするために側板１３４ｂの図示を省略する。
【００４９】
図８（ａ）は引出１３４が収容されている状態を示している。このときプーリ１８８ａ、１８８ｂはレール１９０の奥側水平部１９０ａにある。
【００５０】
図８（ｂ）は引出１３４が少し引き出された状態を示している。上プーリ１８８ａがレール１９０の奥側水平部１９０ａと傾斜部１９０ｂとの交点である上昇起点にあり、下プーリ１８８ｂも奥側水平部１９４ａと傾斜部１９０ｂとの交点である下側角部にある。これによりさらに引出１３４を引き出すことにより、支持部材１８０は上昇を開始する。
【００５１】
図８（ｃ）は引出１３４をさらに引き出した状態を示している。上プーリ１８８ａはおよび下プーリ１８８ｂは、傾斜部１９０ｂにあるため、引出１３４を引き出すに伴ってアーム１８６が上昇し、支持部材１８０および載置部材１５０も上昇する。すなわち、引出１３４を引き出す力が、載置部材１５０を上昇させる力に変換される。載置部材１５０が上昇することにより下方の空間１６１を生じるが、遮蔽部材１６０aが被収納物を遮蔽しているので、この空間への侵入は防止される。
【００５２】
図８（ｄ）は引出１３４を概ね引き出した状態を示している。このときプーリ１８８ａ、１８８ｂはレール１９０の前側水平部１９０ｃにある。これにより、引出１３４を引き出した状態において載置部材１５０の重量を前側水平部１９０ｃが支持することとなり、引出１３４が戻ってしまうことを防ぐことができる。なお、前側水平部１９０ｃの前側先端は、下面に滑らかな傾斜面を有している。これは下プーリ１８８ｂがレール１９０より突出した後に戻る際に、レール１９０の下側に入りやすくするためである。
【００５３】
引出１３４をベースキャビネット１３０に収容する場合は、上記の逆の動作となる。引出１３４を引き出された状態から押し込むと、図８（ｃ）に示すようにプーリ１８８ａ、１８８ｂが傾斜部１９０ｂにさしかかる。すると、プーリ１８８ａ、１８８ｂが傾斜部１９０ｂに案内されて下降するため、アーム１８６が水平の姿勢を保ったまま引き下げられる。これにより、単に引出１３４を押し込む操作によって、支持部材１８０、延いては載置部材１５０が下降する。なお、遮蔽部材１６０aが下方の空間１６１から被収納物を遮蔽していたため、載置部材１５０が下降して被収納物と接触するおそれはない。
【００５４】
さらに引出１３４を押し込んで、図８（ｂ）に示すようにプーリ１８８ａ、１８８ｂが上昇起点まで到達すると、この時点で載置部材１５０は最も下降した状態となる。このように、引出１３４を完全に収容させる前に載置部材１５０は可動範囲の下端に到達し、載置部材１５０に載置した被収納物が上段の引出１３２や壁面等に衝突することを防ぐことができる。
【００５５】
故に、上記構成によれば、レール１９０とプーリ１８８ａ、１８８ｂを用いた簡易な機構で、引出１３４の内部に配置された載置部材１５０を昇降させることができ、載置部材１５０に収納した被収納物を上昇させて取り出しやすくすることができる。このとき、引出１３４を出し入れする操作に伴って載置部材１５０が昇降するため、操作が簡潔かつ容易である。また、被収納物を屈まずに取り出すために必要にして十分な高さに上昇させることにより、低い位置にある引出の使い勝手を向上させることができる。
【００５６】
以上詳述したように、本実施形態によれば、被収納物を巻き込むことなく、必要にして十分な繁用物を載置した載置部材１５０を昇降させることができる。故に、引出全体を昇降させることなく、簡潔かつ容易に日常生活における使用者の負担を低減できる。また、遮蔽部材は着脱可能に設けられているので、被収納物や載置部材１５０に応じて遮蔽部材１６０を配置することができ、効率的なスペース活用が行なえる。更に、載置部材１５０をポケット形状とする事で、杓子類、ラップ、調味料など様々なものを立てた状態で収納することができ、視認性の向上、延いては使い勝手の向上が図れる。
【００５７】
なお、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５８】
本発明は、システムキッチンに備えられた、被収納物を収納する引出を有する収納庫に利用することができる。
【符号の説明】
【００５９】
１００…システムキッチン、１１０…天板、１１２…コンロ、１１２ａ…グリル、１１２ｂ…操作パネル、１１４…調理スペース、１１６…シンク、１２０…コンロキャビネット、１２２…スパイスボックス、１２４…引出、１２６…足下収納庫、１３０…ベースキャビネット、１３２、１３４…引出、１３４ａ…前板、１３４ｂ…側板１３４ｃ…背面板、１３４ｄ…底板１３４、１３６…足下収納庫、１４０…シンクキャビネット、１４４…引出、１４６…足下収納庫、１５０…載置部材、１５２…Ｌ字部、１６０…遮蔽部材、１６１…下方の空間、１６２…収納スペース、１６４…前部収納スペース、１７０…昇降機構、１８０…支持部材、１８２…梁、１８２ａ…上梁、１８２ｂ…下梁、１８４…摺動部材、１８６…アーム、１８６ａ…樹脂部、１８６ｂ…金属部、１８８…プーリ、１８８ａ…上プーリ、１８８ｂ…下プーリ、１９０…レール、１９０ａ…奥側水平部、１９０ｂ…傾斜部、１９０ｃ…前側水平部
【図１】
2010183984.tif 000003
【図２】
2010183984.tif 000004
【図３】
2010183984.tif 000005
【図４】
2010183984.tif 000006
【図５】
2010183984.tif 000007
【図６】
2010183984.tif 000008
【図７】
2010183984.tif 000009
【図８】
2010183984.tif 000010
【手続補正書】
【提出日】平成21年3月5日(2009.3.5)
【手続補正１】
【補正対象書類名】明細書
【補正対象項目名】００２４
【補正方法】変更
【補正の内容】
【００２４】
各収納庫は、被収納物を収納するために、様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部、すなわちグリル１１２ａの下には幅の広い大きな引出１２４が配設され、鍋やボウルなどの比較的大きな調理器具を収納することが可能になっている。また、コンロキャビネット１２０の下部の床近傍には、引出式の足元収納庫１２６が配設されている。
【手続補正２】
【補正対象書類名】明細書
【補正対象項目名】００２５
【補正方法】変更
【補正の内容】
【００２５】
同様に、ベースキャビネット１３０には複数の比較的小さな引出１３２、１３４および足元収納庫１３６が備え付けられている。シンクキャビネット１４０には足元収納庫１４６から天板１１０に到る高い前板を備えた引出１４４が備え付けられている。
【手続補正３】
【補正対象書類名】明細書
【補正対象項目名】００２７
【補正方法】変更
【補正の内容】
【００２７】
図２は、ベースキャビネット１３０の分解斜視図、図３は、載置部材１５０と支持部材１８０とを引出１３４に取り付けた状態を示す図、図４は、図３においてさらに遮蔽部材１６０ａを取り付けた状態を示す図である。上述したように、ベースキャビネット１３０には上段の引出１３２、中段の引出１３４、下段の足元収納庫１３６がスライド自在に収容される。